(57)【要約】【課題】道路際や庭先等に面して設けられているガラス窓が、冬期において屋根からの雪下ろしにより堆積した雪の崩落で破損するのを確実に防止することができるガラス窓防護用雪除け窓構造を提供する。【解決手段】ガラス窓２とこのガラス窓の外側に網戸を配設している窓枠１において、冬期においては上記網戸を取り外してその網戸用レール５ａ、５ｂに、矩形枠３Ａに波板形状のポリカーボネート樹脂板からなる合成樹脂製透光板３Ｂを張設している雪除けパネル３を、上記窓枠１を全面的に閉止するように装着し、この雪除けパネル３によって崩落する雪を受止するように構成している。【選択図】    図２
2004285648.tif 000002
【特許請求の範囲】
【請求項１】
窓枠にガラス窓を開閉自在に配設してなる窓構造において、矩形枠に合成樹脂製透光板を張設してなる雪除けパネルを上記窓枠内における上記ガラス窓の外側にこのガラス窓を被覆するように設けていることを特徴とするガラス窓防護用雪除け窓構造。
【請求項２】
窓枠の上下枠部の対向面における内側にガラス窓を開閉自在に配設したガイドレールを設けていると共に外側に網戸を開閉自在に配設する網戸用レールを設けてあり、網戸を取り外したこの網戸用レールに雪除けパネルの上下枠部に設けている凹部を着脱自在に係合、支持させるように構成したことを特徴とする請求項１に記載のガラス窓防護用雪除け窓構造。
【請求項３】
雪除けパネルにおける矩形枠に張設した合成樹脂製透光板は、山部と谷部とが横幅方向に連続した波板形状のポリカーボネート樹脂板からなることを特徴とする請求項１に記載のガラス窓防護用雪除け窓構造。
【発明の詳細な説明】
【０００１】
【発明の属する技術分野】
本発明は雪が堆積している屋根から雪下ろしを行う際、或いは、庭先に植えている樹木の枝等に堆積している雪がその重量によって落下した際に、庭先や道路際等に面している建物のガラス窓が落下した雪の跳ね返りや崩落等により破損するのを防止するガラス窓防護用雪除け窓構造に関するものである。
【０００２】
【従来の技術】
平屋や二階建て等の一般住宅からなる建物において、ガラス窓を設けている部屋等が庭や道路に面している場合、降雪によって屋根に積もった雪を該屋根から雪下ろしすると、地面上に高く堆積した雪に屋根から落下した雪が部屋側に跳ね返ったり、或いは、堆積した雪が崩落して、ガラス窓がその崩落等した雪によって破損する事態が度々発生している。
【０００３】
そのため、降雪時においては、庭先などに堆積している雪に適宜高さを有する防護板を立て込み、雪下ろし時の雪をその防護板によって建物側に崩落するのを防止しているのが現状である。しかしながら、幅広いガラス窓を全面的に防護し得る防護板を準備するのが困難であるばかりでなく、防護板は堆積している雪にその脚部等を挿入、埋設して立設、支持させているにすぎないので、支持力が弱くて雪降ろし時に該防護板に衝突する雪により防護板が倒壊し、窓ガラスの破損防止としての役目を果たすことができなくなるという問題点があった。また、春先になると該防護板を取り除き、分解して納屋等に収納、保管しておくという、面倒な仕事も必要とした。
【０００４】
一方、鉄筋コンクリート製の建物においては、その建物から屋外に張り出しているバルコニーやベランダに安全柵としての機能を持たせた一定高さの手摺り壁を設け、この手摺り壁上に板状の合成樹脂製雪除け板を張設することによって屋外側に面したガラス窓に直接、風雪が吹き当たるのを防止するように構成した雪除け装置が開発されている（例えば、特許文献１参照）。
【０００５】
【特許文献１】
特開２００２−２５６６１９号公報（第４〜６頁、第１図）。
【０００６】
【発明が解決しようとする課題】
しかしながら、このような雪除け装置は、屋外に手摺り壁を設けている建物においては、その手摺り壁に一定高さを有する支柱を複数本、立設、固定して隣接する支柱間に合成樹脂製雪除け板を張設することによって容易に構成することができるが、ガラス窓を開閉自在に設けている窓構造が庭や道路際に直接面している木造家屋等の建物においては、この窓構造の外側に手摺り壁などが存在しないので、合成樹脂製雪除け板を張設することができない。
【０００７】
また、例え、建物の庭先や道路際側に雪除け板を張設可能な土地が存在していても、その土地に複数本の支柱を立設して隣接する支柱間に合成樹脂製雪除け板を張設することによってガラス窓全体を被覆した構造とするには、多大な手間と労力を要する上に高価につき、さらに、立設した支柱等が通行等の邪魔になるという問題点がある。また、このような雪除け板が不必要な春先においては、その支柱や雪除け板を撤去し、分解して納屋等に保管するという手間を要する作業も必要である。
【０００８】
さらにまた、雪除け板が例えガラス窓の前方に近接した軒下空間部に設けられたとしても、この雪除け板とガラス窓との間に形成されている空間部の上端は上方に向かって開口しているために、吹雪時等においては雪が上記空間部に吹き込んで透光性などを阻害する虞れがある。
【０００９】
本発明はこのような問題点に鑑みてなされたもので、その目的とするところは庭先や道路側に面している窓枠におけるガラス窓の外側に、降雪時において簡単に且つ何等、邪魔になることなく張設し得ると共に、雪下ろし時等における地面に堆積する雪の崩落等によって窓ガラスが破損するのを確実に防止することができ、また、不要になった時にはその撤去が容易に行えるガラス窓防護用雪除け窓構造を提供するにある。
【００１０】
【課題を解決るための手段】
上記目的を達成するために、本発明の窓ガラス防護用雪除け窓構造は請求項１に記載したように、窓枠にガラス窓を開閉自在に配設してなる窓構造において、矩形枠に合成樹脂製透光板を張設してなる雪除けパネルを上記窓枠内における上記ガラス窓の外側にこのガラス窓を被覆するように設けた構造としている。
【００１１】
このように構成した窓ガラス防護用雪除け窓構造において、請求項２に係る発明は、上記窓枠の上下枠部の対向面における内側にガラス窓を開閉自在に配設したガイドレールを設けていると共に外側に網戸を開閉自在に配設する網戸用レールを設けてあり、網戸を取り外したこの網戸用レールに雪除けパネルの上下枠部に設けている凹部を着脱自在に係合、支持させるように構成したことを特徴とする。
【００１２】
また、請求項３に係る発明は、上記雪除けパネルにおける矩形枠に張設した合成樹脂製透光板としては、山部と谷部とが横幅方向に連続した波板形状のポリカーボネート樹脂板からなることを特徴とする。
【００１３】
【作用】
合成樹脂製透光板を張設している雪除けパネルは、ガラス窓の窓枠内において該ガラス窓を被覆するように設けられるので、建物の外側に雪除けパネルの配設空間部が存在しなくても、既存の窓枠を利用してこの窓枠に該雪除けパネルを容易に配設することができると共に何等邪魔になることもない。その上、雪除けパネルは窓枠に対して隙間なく取付けられているから、雪が該雪除けパネルとその内側に小間隔を存して設けているガラス窓との間の隙間に浸入するのを確実に阻止されると共に、この雪除けパネルによってガラス窓が全面的に被覆された状態となっているから、雪下ろし時に地面上に堆積した雪がガラス窓側に向かって崩落しても、その崩落をこの雪除けパネルによって受止してガラス窓が破損するのを防止する。
【００１４】
また、一般に既存の窓枠における上下枠部の対向面には、ガラス窓を開閉自在に設けているガイドレールと、網戸用レールとが設けられている。そして本発明においては、夏期には通常通り、この網戸用レールに網戸を開閉自在に配設してガラス窓を開放している窓枠開口部をこの網戸によって閉じて蚊などが建物内に侵入するのを阻止するが、冬期においては、上記網戸用レールから網戸を取り外して該網戸用レールに上記雪除けパネルを配設することにより、この雪除けパネルでガラス窓を被覆して雪下ろし時などにおける雪の崩落によりガラス窓が破損するのを防止すると共に風雪等からも保護するものである。
【００１５】
この場合、網戸であれば網戸用レール上をガラス窓が開放した窓枠開口部に向かって移動させてその開口部を閉じるように配設しているが、雪除けパネルにおいては、網戸用レール上を移動することなく、窓枠全面に張設した構造とする。例えば、雪除けパネルを一枚のガラス窓と同一大きさに形成しておき、この雪除けパネルを窓枠に配設している各ガラス窓の外側に対向させて順次、隙間なく窓枠内に並列状態で取付けられるものである。
【００１６】
さらに、雪除けパネルは、ポリカーボネート等の合成樹脂製透光板からなるので、屋内側からはガラス窓からこの雪除けパネルを通じて屋外を透視することができる一方、屋外側からは充分な採光性を確保することができる。
【００１７】
また、雪除けパネルは窓枠に対して殆ど隙間なく配設されてあり、従って、ガラス窓が直接寒気に曝されるのを防止すると共に、屋内側からはガラス窓を通じて温い空気が放散するのを防止する断熱作用を発揮する。その上、この雪除けパネルにおける矩形枠に張設した合成樹脂製透光板を、山部と谷部とが横幅方向に連続した波板形状のポリカーボネート樹脂板から形成しておくことによって、耐曲げ強度の大きい雪除けパネルが得られ、屋外に堆積した雪の崩落等の荷重に対して充分に耐えることができる。
【００１８】
【発明の実施の形態】
次に、本発明の実施の形態を図面について説明すると、図１はガラス窓防護用雪除け窓構造を屋外側から見た簡略斜視図、図２はその一部を省略した縦断側面図、図３は一部の横断面図であり、これらの図において、上記窓構造は、窓枠１における内側に数枚（図においては内外２枚）のガラス窓２を開閉自在に配設していると共に、外側に雪除けパネル３を配設してなり、この雪除けパネル３によってガラス窓２の屋外側の面を全面的に被覆している。
【００１９】
窓枠１はアルミ製であって、木造住宅等の建物Ａの１階側における庭や道路側に面した開口部の内周面に固着されている。即ち、この窓枠１は上下窓枠部１ａ、１ｂと両側窓枠部１ｃ、１ｃとによって矩形枠に形成され、その上下窓枠部１ａ、１ｂを上記建物の開口部における上下対向面に固着していると共に両側窓枠部１ｃ、１ｃを該開口部の両側対向面に固着してなるものである。
【００２０】
この窓枠１における上下窓枠部１ａ、１ｂの対向面には周知のように、その内側、即ち屋内側の部分に、上記内外ガラス窓２、２をそれぞれ開閉させるための内外２本の上下ガイドレール４ａ、４ｂを全長に亘って一体に並設している共に、上下窓枠部１ａ、１ｂの対向面における外側部、即ち、屋外側に面した部分に１本の上下網戸用レール５ａ、５ｂを上記外側ガイドレール４ａ、４ｂの外側に平行してそれぞれ全長に亘って一体に設けられている。
【００２１】
上記雪除けパネル３は、アルミ製の矩形枠３Ａに合成樹脂製透光板３Ｂを張設してなり、その縦幅（長さ）は窓枠１の上下窓枠部１ａ、１ｂの上下対向面における外側部に突設している上記上下網戸用レール５ａ、５ｂ間の縦幅に略等しく形成されていると共に、横幅は一枚のガラス窓２の幅に略等しく形成してあり、この雪除けパネル３を数枚、窓枠１を全面的に閉じている各ガラス窓２の外側にそれぞれ対向させた状態にして図４に示すように、窓枠１に全面的に張設してガラス窓防護用雪除け窓構造を構成している。なお、雪除けパネル３の横幅は必ずしもガラス窓２の幅に略等しくしておくことなく、要するに窓枠１の横幅を数分割した幅に形成しておけばよい。
【００２２】
この雪除けパネル３の矩形枠３Ａは図２、図３及び図５に示すように、上下枠部３Ａ１  、３Ａ２  と両側枠部３Ａ３  、３Ａ３  とからなり、上側枠部３Ａ１  には窓枠１における上側窓枠部１ａの下面に設けている上記上側網戸用レール５ａに着脱自在に係合する上向きに開口した凹部６を一体に設けていると共に、下側枠部３Ａ２  には窓枠１における下側窓枠部１ｂの上面に設けている上記下側網戸用レール４ｂに着脱自在に係合する下向きに開口した凹部７を一体に設けている。
【００２３】
これらの上下凹部６、７は、矩形枠３Ａの上枠部３Ａ１  の上面中央部と下枠部３Ａ２の下面中央部とにそれぞれ全長に亘って設けておいてもよいが、図においては、上下枠部３Ａ１  の内面（屋内側の面）両側部に、断面Ｌ字状に屈折したアルミ製の取付金具６ａ、７ａをビス８により固着し、これらの取付金具６ａ、７ａの垂直片部６１、７１と上下枠部３Ａ１  、３Ａ２  の内面間により形成している。
【００２４】
詳しくは、取付金具６ａ、７ａは、上記垂直片部６１、７１に対して直角に屈折した一定幅の水平片部６２、７２をそれぞれ一体に設けて断面Ｌ字状に形成していると共に水平片部６２、７２の外端からさらに取付片部６３、７３を直角に屈折、形成してなり、上枠部３Ａ１  においては、垂直片部６１を上向きにしてその取付片部６３を上枠部３Ａ１の内面にビス８により固着する一方、下枠部３Ａ２  においては垂直片部７１を下向きにしてその取付片部７３を下枠部３Ａ２  の内面にビス８により固着してある。なお、凹部６、７をこのような取付金具６ａ、７ａによって形成することなく図６（イ）、（ロ）に示すように、上下枠部３Ａ１  、３Ａ２  の内面側に全長に亘って一体に形成しておいてもよい。いずれの場合においても、上下枠部３Ａ１  、３Ａ２  の内面は、網戸用レール５ａ、５ｂに当接可能にしてあり、雪除けパネル３に外側からの力が加わった時は、網戸用レール５ａ、５ｂじ支持するようになされている。
【００２５】
また、上記窓枠１における上側窓枠部１ａの網戸用レール５ａの突出高さとこの網戸用レール５ａに係合する雪除けパネル３の上記上側凹部６の深さを、下側窓枠部１ｂの網戸用レール５ｂの突出高さとこの網戸用レール５ｂに係合する雪除けパネル３の上記下側凹部７の深さよりもそれぞれ高く、深くして、上側の凹部６を上側網戸用レール５ａに挿し込んで雪除けパネル３の下端面を下側網戸用レール５ｂから僅かに上方にまで持ち上げた状態にしたのち、下側凹部７を該下側網戸用レール５ｂに落とし込むようにして係合させることにより、上下網戸用レール５ａ、５ｂ間に雪除けパネル３を配設するように構成している。なお、上下網戸用レール５ａ、５ｂ間からこの雪除けパネル３を取り外すには上記取付け手順を逆に行えばよい。また、上記のようにして配設する他に、取付金具６ａ、７ａを上下に可動するようにし、取付け、取り外しする際には、上側の取付金具６ａを下方に移動させて下側の凹部７を下側網戸用レール５ｂに落とし込み、その後、上側の取付金具６ａを上側に移動させて上側網戸用レール５ａに上側凹部６を嵌め込むようにしてもよい。
【００２６】
矩形枠３Ａに張設してこの矩形枠３Ａと共に雪除けパネル３を構成している上記合成樹脂製透光板３Ｂは、一定幅を有する山部３１と谷部３２とが横幅方向に連続した波板形状のポリカーボネート樹脂板からなり、この合成樹脂製透光板３Ｂを矩形枠３Ａの外面（前面）に重ね合わせて少なくともその上下端縁部を図２、図３及び図７に示すようにビス９により矩形枠３Ａの上下枠部３Ａ１  、３Ａ２  に固着している。さらに、矩形枠３Ａの中間部に補強枠部３Ａ４  が一体に設けられてあり、この補強枠部３Ａ４  にもビスによって合成樹脂製透光板３Ｂの長さ方向の中間部が固着されている。
【００２７】
なお、矩形枠３Ａに対する合成樹脂製透光板３Ｂの取付けは、図７に示すように、矩形枠３Ａの外面に重ね合わせた状態でビス９により固着することなく、矩形枠３Ａの四方内面に内周溝１０を設けておき、この内周溝１０に合成樹脂製透光板３Ｂの四方端縁部を嵌め込むことによって配設してもよい。このようにすると、合成樹脂製透光板３Ｂの上下端面及び左右端面が矩形枠３Ａにより隠され、外観が美しくなる。
【００２８】
このように構成した雪除けパネル３は、夏期においては上記窓枠１における網戸用レール５ａ、５ｂから取り外されて物置等の適宜な場所に収納、保管されている一方、上記網戸用レール５ａ、５ｂには網戸（図示せず）を配設してあり、この網戸を周知のように、窓枠１の内側部に設けているガラス窓２、２において、一方のガラス窓２を上下ガイドレール４ａ、４ｂをガイドとして移動させた際に開放される窓枠１の開口部の前面側に移動させてその開口部を閉じた状態にし、網目を通じて外気を室内等に取り入れると共に蚊等が侵入するのを防止する。
【００２９】
また、冬期においては、この網戸を窓枠１から取り外す一方、上記雪除けパネル３を上述のようにして窓枠１における上下網戸用レール５ａ、５ｂにその上下凹部６、７を係合させることによって配設する。この場合、閉止したガラス窓２、２の外側に対向させて数枚（図においては２枚）の雪除けパネル３、３を並列させてその対向する側枠部３Ａ３  、３Ａ３  同士を接合させた状態にすると共に窓枠１の両側窓枠部１ｃ、１ｃに対向する側枠部３Ａ３  、３Ａ３  も該両側窓枠部１ｃ、１ｃに密接させてこれらの雪除けパネル３、３により窓枠１の開口部を全面的に閉止した状態にする。
【００３０】
このように構成した窓構造においては、透光性を有する合成樹脂製透光板３Ｂからガラス窓２を通じて屋内側に採光することができると共に屋内側からは屋外を透視することができ、また、一方のガラス窓２を開放してもその開口部は常に開放前の該ガラス窓２の外側に配設されている雪除けパネル３によって閉止された状態となっており、風雪等が屋内に直接入り込むのをこの雪除けパネル３によって阻止することができる。
【００３１】
さらに、窓枠１に対して雪除けパネル３は殆ど隙間なく取付けられているので、この雪除けパネル３と内側のガラス窓２との間に形成されている小間隔部内に雪が吹き込む虞れをなくすることができる。その上、窓枠１における上下窓枠部１ａ、１ｂに設けている上記網戸用レール５ａ、５ｂに係合した雪除けパネル３の上下凹部６、７は、その内面を網戸用レール５ａ、５ｂの外面に当接させた状態となっているから、雪除けパネル３の外面に大きな風圧が作用しても、網戸用レール５ａ、５ｂの外面に上下凹部６、７の内面を強固に受止させて外れたりすることなくその風圧等に耐えることができる。
【００３２】
また、降雪によって屋根に積もった雪を該屋根から雪下ろしする場合、地面上に高く堆積した雪に屋根から落下した雪が衝突して窓枠１に配設しているガラス窓２側に崩落しても、この雪をガラス窓２の外側（前面側）に配設している上記雪除けパネル３によって受止させ、ガラス窓２が破損するのを防止する。同様に、ガラス窓２が庭先に面して設けられており、その近くにある樹木に堆積した雪が崩落しても雪除けパネル３によって受止してガラス窓２の破損を阻止することができる。さらに、ガラス窓２が道路に面している場合にあっては、車などによる雪などが飛散しても、これを雪除けパネル３で受け止めてガラス窓２の破損を防止する。
【００３３】
さらに、この雪除けパネル３の縦長矩形枠３Ａに張設している同じく縦長合成樹脂製透光板３Ｂは、一定幅を有する山部３１と谷部３２とが横幅方向に連続した波板形状に形成されているので、大きな耐曲げ強度を発揮して雪除けパネル３自体が撓んだり折損したりすることなく風雪や崩落する雪を確実に受止し、長期の使用に供することができる。
【００３４】
このような雪除けパネル３は、上下窓枠部１ａ、１ｂ及び両側窓枠部１ｃ、１ｃ、合成樹脂製透光板３Ｂ、その他の部品等をキット化して販売されたり、或いは、これらを組み合わせたパネルとしてホームセンター等で販売される。
【００３５】
【発明の効果】
以上のように本発明のガラス窓防護用雪除け窓構造によれば、請求項１に記載したように、窓枠にガラス窓を開閉自在に配設してなる窓構造において、矩形枠に合成樹脂製透光板を張設してなる雪除けパネルを上記窓枠内における上記ガラス窓の外側にこのガラス窓を被覆するように設けているので、既存の窓枠を利用してこの窓枠に上記雪除けパネルを容易に配設することができるから、何等邪魔になることもない。その上、雪除けパネルは窓枠に対して隙間なく取付けられているから、雪が該雪除けパネルとその内側に小間隔を存して設けているガラス窓との間の隙間に浸入するのを確実に阻止することができると共に、この雪除けパネルによってガラス窓が全面的に被覆された状態となっているから、雪下ろし時に地面上に堆積した雪がガラス窓側に向かって崩落しても、その崩落をこの雪除けパネルによって受止してガラス窓が破損するのを防止することができる。
【００３６】
さらに、請求項２に係る発明によれば、上記窓枠の上下枠部の対向面における内側にガラス窓を開閉自在に配設したガイドレールを設けていると共に外側に網戸を開閉自在に配設する網戸用レールを設けてあり、網戸を取り外したこの網戸用レールに雪除けパネルの上下枠部に設けている凹部を着脱自在に係合、支持させるように構成しているので、夏期には通常通り、上記網戸用レールに網戸を開閉自在に配設してガラス窓を開放している窓枠開口部をこの網戸によって閉じて蚊などが建物内に侵入するのを阻止することができ、冬期においては、上記網戸用レールから網戸を取り外して該網戸用レールに上記雪除けパネルを容易に配設することができ、この雪除けパネルによってガラス窓を被覆して雪下ろし時などにおける雪の崩落によりガラス窓が破損するのを防止すると共に風雪等からも保護することができる。また、雪除けパネルが不要となった時には、網戸用レールから簡単に取り外して撤去することができる。
【００３７】
請求項３に係る発明によれば、上記雪除けパネルにおける矩形枠に張設した合成樹脂製透光板は、矩形枠に山部と谷部とが横幅方向に連続した波板形状のポリカーボネート樹脂板からなるので、耐曲げ強度の大きい雪除けパネルを形成することができ、屋外に堆積した雪の崩落等の荷重に対して充分に耐えることができる。
【図面の簡単な説明】
【図１】ガラス窓防護用雪除け窓構造を屋外側から見た簡略斜視図、
【図２】その一部を省略した縦断側面図、
【図３】その一部の横断面図、
【図４】窓枠に配設した雪除けパネルの正面図、
【図５】雪除けパネルの内面側から見た一部切欠斜視図、
【図６】網戸用レールに係合する凹部の変形例を示す一部を省略した縦断面図、
【図７】矩形枠内に合成樹脂製透光板を配設した状態の一部を省略した縦断面図、
【図８】矩形枠に合成樹脂製透光板を取付ける状態の一部の分割斜視図。
【符号の説明】
１  窓枠
２  ガラス窓
１ａ、１ｂ  上下窓枠部
３  雪除けパネル
３Ａ  矩形枠
３Ｂ  合成樹脂製透光板
４ａ、４ｂ  上下ガイドレール
５ａ、５ｂ  網戸用レール
６、７  凹部
【図１】
2004285648.tif 000003
【図２】
2004285648.tif 000004
【図３】
2004285648.tif 000005
【図４】
2004285648.tif 000006
【図５】
2004285648.tif 000007
【図６】
2004285648.tif 000008
【図７】
2004285648.tif 000009
【図８】
2004285648.tif 000010